(57)【要約】【課題】眼科用レンズの注文要求を処理するための処理装置(RX)を提供する。【解決手段】眼科用レンズの注文要求を処理するための処理装置。眼科用レンズの注文要求を処理するための処理装置(RX)であって、管理エンティティ(LMS)から注文要求を受け取るように構成された受取り手段(REC)であり、管理エンティティ(LMS)が、少なくとも1つのレンズ製作装置(MAN)にリンクされるように構成され、注文要求が少なくとも装着者の光学的な処方箋に関係する情報を含む、受取り手段(REC)と、注文要求中に含まれる情報により眼科用レンズのパラメータを取得するために、所定の処理規則に基づいて注文要求を処理するように構成された処理手段(PROC)と、管理エンティティ(LMS)に眼科用レンズの取得されたパラメータを送るように構成された送出手段(SEN)とを備え、所定の処理規則への未許可のアクセスを阻止するように構成された処理装置(RX)。【選択図】図２ｂ
2014149553.tif 000002
【特許請求の範囲】
【請求項１】
眼科用レンズの注文要求を処理する方法であって、
-  少なくとも装着者の光学的な処方箋に関係する情報を含む注文要求が、管理エンティティ(LMS)により受け取られる注文要求受取りステップ(S1)と、
-  前記注文要求が、前記管理エンティティ(LMS)から処理装置(RX)に転送される注文要求転送ステップ(S2)であり、前記処理装置(RX)が、前記注文要求中に含まれる前記情報により前記眼科用レンズのパラメータを計算するように適合された計算規則を含む所定の処理規則に基づいて、前記注文要求を処理するように構成された処理手段(PROC)を備え、前記所定の処理規則への未許可のアクセスを阻止するように構成される、注文要求転送ステップ(S2)と、
-  前記注文要求中に含まれる前記情報により前記眼科用レンズのパラメータを取得するために、前記注文要求が、前記所定の処理規則に基づいて前記処理装置(RX)の前記処理手段(PROC)により処理される注文要求処理ステップ(S3)であり、前記眼科用レンズの前記パラメータが製作パラメータを含み、該製作パラメータは様々な製作装置の設定パラメータを含む、注文要求処理ステップ(S3)と、
-  前記眼科用レンズの前記製作パラメータが、前記処理装置(RX)から少なくとも1つのレンズ製作装置(MAN)に転送されるパラメータ転送ステップ(S4)と、
-  前記眼科用レンズが、前記処理装置(RX)の前記処理手段(PROC)によって決定された前記製作パラメータに従って前記レンズ製作装置(MAN)により製作される製作ステップ(S5)と
を含む方法。
【請求項２】
眼科用レンズの注文要求を処理するための処理装置(RX)であって、
-  管理エンティティ(LMS)から注文要求を受け取るように構成された受取り手段(REC)であり、前記管理エンティティ(LMS)が、少なくとも1つのレンズ製作装置(MAN)を管理するように構成され、前記注文要求が、少なくとも装着者の光学的な処方箋に関係する情報を含む、受取り手段(REC)と、
-  前記注文要求中に含まれる前記情報により前記眼科用レンズのパラメータを計算するように適合された計算規則を含む所定の処理規則に基づいて、前記注文要求を処理するように構成された処理手段(PROC)であって、前記眼科用レンズの前記パラメータが製作パラメータを含み、該製作パラメータは様々な製作装置の設定パラメータを含むことを特徴とする処理手段(PROC)と、
-  前記管理エンティティ(LMS)に前記眼科用レンズの前記取得されたパラメータを送るように構成された送出手段(SEN)とを備え、
前記所定の処理規則への未許可のアクセスを阻止するように構成される処理装置(RX)。
【請求項３】
前記所定の処理規則が、前記眼科用レンズに対する設計をデータベース中で選択するための規則を含む、請求項2に記載の処理装置。
【請求項４】
前記処理手段(PROC)が、少なくとも1つの安全に保護されたハウジング(SEC)中で構成される、請求項2または3に記載の処理装置(RX)。
【請求項５】
前記処理手段(PROC)が、前記所定の処理規則の少なくとも一部を実施するための命令を記憶するメモリを備えており、また、前記処理装置(RX)が、前記メモリに未許可でアクセスしようとする試みを検出するように、かつ/または前記メモリに未許可でアクセスしようとする試みを検出すると、前記メモリのコンテンツを破壊するように構成された検出手段(DET)をさらに備える、請求項2から4のいずれかに記載の処理装置(RX)。
【請求項６】
前記処理装置(RX)が、前記所定の処理規則へのアクセスを許可するように適合されたプラグ着脱可能な許可手段を受け入れるように構成されたインターフェース(INT)をさらに備える、請求項2から5のいずれかに記載の処理装置(RX)。
【請求項７】
前記処理装置(RX)が、遠隔のエンティティ(SER)に対して安全に保護された接続を介してリンクされるように、かつ前記所定の処理規則を更新するために前記遠隔のエンティティ(SER)に更新要求を送るように構成された更新手段(UPD)を備える、請求項2から6のいずれかに記載の処理装置(RX)。
【請求項８】
眼科用レンズの注文要求を処理するための処理システムであって、
-  注文要求を受け取るように、かつ少なくとも1つのレンズ製作装置(MAN)にリンクされるように構成された管理エンティティ(LMS)と、
-  前記管理エンティティ(LMS)にリンクされた請求項2から7のいずれかによる少なくとも1つの処理装置(RX)であり、前記管理エンティティ(LMS)が前記処理装置(RX)にリンクされる、処理装置(RX)と、
前記管理エンティティ(LMS)にリンクされた少なくとも1つのレンズ製作装置(MAN)と
を備える処理システム。
【請求項９】
前記処理システムが、複数の処理装置(RX)を備え、各処理装置(RX)の前記処理手段(PROC)が、別個の安全に保護されたハウジング(SEC)中に配置される、請求項8に記載の処理システム。
【請求項１０】
前記処理システムが、複数の処理装置(MAS、SLA、PRO)を備え、各処理装置が、前記所定の処理規則の少なくとも一部を実施するための命令を記憶するメモリを備えており、また各処理装置は、前記処理装置の前記メモリに未許可でアクセスしようとする試みを検出するように、かつ/または前記メモリに未許可でアクセスしようとする試みを検出すると、前記メモリのコンテンツを破壊するように構成された別個の検出手段をさらに備える、請求項8または9に記載の処理システム。
【請求項１１】
前記管理エンティティ(LMS)が、安全に保護された接続を介して前記処理装置(RX)にリンクされる、請求項8から10のいずれかに記載の処理システム。
【請求項１２】
請求項7に記載の少なくとも1つの処理装置(RX)と、安全に保護された接続(NET4)を介して通信するように構成されたサーバ(SER)であって、前記処理装置(RX)からの更新要求を受け取ると、前記処理装置(RX)の前記所定の処理規則の現在のバージョンを確認し、前記所定の処理規則の更新バージョンを、前記処理装置(RX)に送るように構成された管理更新手段を備えるサーバ(SER)。
【発明の詳細な説明】
【技術分野】
【０００１】
本発明は、眼科用レンズの注文要求を処理する方法、眼科用レンズの注文要求を処理するための処理装置、およびシステムに関する。
【背景技術】
【０００２】
眼鏡を装着する必要があり、そのため眼科医により、または他の権威のあるアイケア専門家によって記入された処方箋を有する人は、通常、今後使用する眼鏡のフレームを選択するために、かつ眼科用レンズを注文するために眼鏡技師の店舗へと行く。眼鏡をこの後使用する装着者は、いくつかの眼鏡フレームを試してみて、最終的に、試みたフレームのうちの1つを選択することができる。眼鏡技師は、レンズを用意させるために、レンズ供給者に注文を送る。
【０００３】
レンズ供給者は、装着者の処方箋に対応するレンズを製作するために利用可能な様々な製作技法を有する。
【０００４】
例えば、レンズは、一般に、限られた数の半完成状態のレンズ素材を使用することにより製作される。半完成状態のレンズ素材の前面は、通常、最終的なレンズの最終的な前面となるように意図されており、他の面は、最終的なレンズの光学系が、装着者の眼科用処方箋に適合するように機械加工される。
【０００５】
このような製作技法によれば、レンズ供給者は、装着者の眼科用処方箋に適合するように、最も適切な半完成状態のレンズ素材を決定し、かつレンズの背面に対する最も適切な設計を決定する。
【０００６】
レンズ供給者は、最も適切な半完成状態のレンズ素材および設計を決定した後、製作機器のタイプに従って、前記半完成状態のレンズ素材および前記設計に対応する製作パラメータを生成する。
【０００７】
製作パラメータは、次いで、様々な製作エンティティに送られ、半完成状態のレンズ素材が前記製作パラメータに従って製作される。
【０００８】
製作されたレンズは、そのようにして眼鏡技師に送ることができるが、眼鏡技師が、装着者により選択された眼鏡フレームの幾何形状パラメータを提供していた場合、レンズ供給者は、例えば、製作されたレンズに縁を付けて、縁付きレンズを眼鏡技師に提供することもできる。
【０００９】
レンズ供給者は、様々な地域または州に複数の製作所を有することができ、眼鏡技師の注文を、例えば、各製作所の作業量により、または何らかの他の基準によりこれらの製作所のいずれかに送ることができる。例えば、レンズ設計のタイプで、各製作所を専門化することができ、したがって、レンズタイプに従って眼鏡技師の注文を、ある製作所に、あるいは別の製作所に送ることができる。
【００１０】
レンズ供給者はまた、いくつかのレンズ注文を、例えば、過大な作業量に対応するために外注に出すことが必要になる場合もある。レンズ供給者はまた、様々なレンズ供給者に対しても作業が可能な認可された製作所と作業することもありうる。
【００１１】
レンズ供給者が様々な製作所を有する場合、または外部の製作所と作業する場合、レンズ供給者は、製作パラメータを各製作所に提供することが必要であり、あるいは注文要求中に含まれる情報により眼科用レンズの製作パラメータを得るために、所定の処理規則に基づいて、注文要求を処理するように構成された処理手段を提供することが必要である。
【発明の概要】
【発明が解決しようとする課題】
【００１２】
大部分のレンズ供給者は、単に、眼鏡技師の注文要求を製作所に送り、製作所に製作パラメータを決定させることを好む。
【００１３】
このような構成によれば、レンズ供給者は、眼鏡技師の注文要求中に含まれる情報により最も正確な製作パラメータを決定するのに必要な処理手段を様々な製作所に提供することになる。
【００１４】
本発明の目的は、現在の状況を改良することである。
【課題を解決するための手段】
【００１５】
本発明は、眼科用レンズの注文要求を処理する方法であって、
-  少なくとも装着者の光学的な処方箋に関係する情報を含む注文要求が、管理エンティティにより受け取られる注文要求受取りステップと、
-  注文要求が、管理エンティティから処理装置に転送される注文要求転送ステップと、
-  注文要求中に含まれる情報により眼科用レンズのパラメータを取得するために、注文要求が、所定の処理規則に基づいて処理装置の処理手段により処理される注文要求処理ステップとを含み、
処理装置が、所定の処理規則に未許可でアクセスすることを阻止するように構成される、方法に関する。
【００１６】
従来技術の構成によれば、レンズ供給者は、眼鏡技師の注文要求を製作所に送り、製作所が製作パラメータを決定する。さらに、通常、レンズ供給者が、所定の処理規則を改良する、または更新する場合、所定の処理規則の更新を含むCD-ROMなどの信頼性のある媒体を製作所に提供する。
【００１７】
したがって、製作所におけるどの人も、レンズ供給者のノウハウの一部である所定の処理規則にアクセスすることができる。
【００１８】
本発明の方法によれば、処理装置は、所定の処理規則への未許可のアクセスを阻止するように構成されるので有利である。
【００１９】
したがって、レンズ供給者のノウハウに対して、未許可の第3者がアクセスすることはできない。
【００２０】
本発明の実施形態によれば、眼科用レンズのパラメータは製作パラメータを含み、また方法は、
眼科用レンズの製作パラメータが、処理装置から少なくとも1つのレンズ製作装置に転送されるパラメータ転送ステップと、
眼科用レンズが、製作パラメータに従ってレンズ製作装置により製作される製作ステップと
をさらに含む。
【００２１】
本発明はまた、眼科用レンズの注文要求を処理するための処理装置であって、
-  管理エンティティから注文要求を受け取るように構成された受取り手段であり、管理エンティティが、少なくとも1つのレンズ製作装置にリンクされるように構成され、注文要求が、少なくとも装着者の光学的な処方箋に関係する情報を含む、受取り手段と、
-  注文要求中に含まれる情報により眼科用レンズのパラメータを取得するために、所定の処理規則に基づいて注文要求を処理するように構成された処理手段と、
-  管理エンティティに眼科用レンズの取得されたパラメータを送るように構成された送出手段とを備え、
所定の処理規則への未許可のアクセスを阻止するように構成された処理装置に関する。
【００２２】
単独または組み合わせたものと見なすことのできる他の実施形態によれば、
・所定の処理規則は、注文要求中に含まれる情報の一部から、眼科用レンズのパラメータを計算するように適合された計算規則を含み、
・所定の処理規則は、眼科用レンズに最も適した設計をデータベースで選択するための規則を含み、
・処理手段は、少なくとも1つの安全に保護されたハウジング中に配置され、
・処理手段は、所定の処理規則の少なくとも一部を実施するための命令を記憶するメモリを備え、処理装置は、メモリに未許可でアクセスしようとする試みを検出するように、かつ/またはメモリに未許可でアクセスしようとする試みを検出すると、メモリのコンテンツを破壊するように構成された検出手段をさらに備え、
・処理装置は、所定の処理規則へのアクセスを許可するように適合されたプラグ着脱可能な許可手段を受け入れるように構成されたインターフェースをさらに備え、また
・処理装置は、遠隔のエンティティに安全に保護された接続を介してリンクされるように、かつ所定の処理規則を更新するために遠隔のエンティティに更新要求を送るように構成された更新手段を備える。
【００２３】
さらに、本発明はまた、眼科用レンズの注文要求を処理するための処理システムであって、
-  注文要求を受け取るように、かつ少なくとも1つのレンズ製作装置にリンクされるように構成された管理エンティティと、
-  管理エンティティにリンクされた本発明による少なくとも1つの処理装置とを備え、
管理エンティティが処理装置にリンクされる、処理システムに関する。
【００２４】
本発明による処理システムを使用するレンズ供給者は、処理手段に対する、特に、レンズ供給者のノウハウを含む所定の処理規則に対するどんなアクセスも阻止することができるので有利である。
【００２５】
単独または組み合わせたものと見なすことのできる他の実施形態によれば、
・処理システムは、複数の処理装置を備えており、各処理装置の処理手段が、別個の安全に保護されたハウジング中に配置され、
・処理システムは、複数の処理装置を備えており、各処理装置が、所定の処理規則の少なくとも一部を実施するための命令を記憶するメモリを備え、また各処理装置は、処理装置のメモリに未許可でアクセスしようとする試みを検出するように、かつ/またはメモリに未許可でアクセスしようとする試みを検出すると、メモリのコンテンツを破壊するように構成された別個の検出手段をさらに備え、
・処理システムは、管理エンティティにリンクされた少なくとも1つのレンズ製作装置をさらに備え、
・管理エンティティは、安全に保護された接続を介して処理装置にリンクされる。
【００２６】
本発明はまた、安全に保護された接続を介して、本発明による少なくとも1つの処理装置と通信するように構成されたサーバに関し、サーバは、処理装置からの更新要求を受け取ると、処理装置の所定の処理規則の現在のバージョンを確認し、かつ所定の処理規則の更新バージョンを処理装置に送るように構成された管理更新手段を備える。
【００２７】
特に指定のない限り、以下の論議から明らかなように、本明細書を通じて、「計算する(computing)」、「計算する(calculating)」、「生成する」などの用語を使用する論議では、計算システムのレジスタ、および/またはメモリ内にある、電子的な量などの物理量で表されるデータを、計算システムのメモリ、レジスタ、または他のこのような情報記憶、送信、もしくは表示装置に含まれる物理量として同様に表される他のデータへと操作し、かつ/または変換するコンピュータ、または計算装置、あるいは同様の電子的な計算装置のアクションおよび/またはプロセスを指すことを理解されたい。
【００２８】
本発明の諸実施形態は、本明細書のオペレーションを実施するための装置を含むことができる。この装置は、所望する目的のために専用に構成することができるが、あるいは装置は、コンピュータに記憶されたコンピュータプログラムまたはVHDL(Very high speed integrated circuit Hardware Description Language)により選択的に活動化もしくは再構成される汎用コンピュータもしくはDSP(デジタル信号プロセッサ;Digital Signal Processor)を備え、あるいはX86などのCISC(複雑命令セットコンピュータ;Complex Instruction Set Computer)アーキテクチャ、またはARMなどのRISC(縮小命令セットコンピュータ;Reduced Instruction Set Computer)アーキテクチャを備えることができる。
【００２９】
このようなコンピュータプログラムは、これだけに限らないが、フロッピー(登録商標)ディスク、光ディスク、CD-ROM、光磁気ディスクを含む任意のタイプのディスク、ROM(読取り専用メモリ)、RAM(ランダムアクセスメモリ)、EPROM(消去可能書込み可能なROM)、EEPROM(電気的に消去可能書込み可能なROM)、磁気もしくは光カード、または電子的命令を記憶するのに適した、かつコンピュータシステムバスに結合できる任意の他のタイプの媒体など、コンピュータ可読の記憶媒体に記憶することができる。
【００３０】
本明細書で提示されるプロセスおよび表示は、どの特定のコンピュータまたは他の装置に対しても固有に関連するものではない。様々な汎用システムを、本明細書の教示によるプログラムと共に使用することができるが、あるいはそれは、望ましい方法を実施するために、より専用化した装置を構成することが好都合であることもありうる。様々なこれらのシステムに対する望ましい構成は、以下の記述から明らかとなろう。加えて、本発明の諸実施形態は、何らかの特定のプログラミング言語に関連して記述されることはない。様々なプログラミング言語を、本明細書で述べる本発明の教示を実施するために使用できることが理解されよう。
【００３１】
本発明の意味において、「安全に保護された接続」とは、ハードウェアのセキュリティ手段、および/またはソフトウェアのセキュリティ手段により、例えば、RSAアルゴリズムまたは任意の他のよく知られた暗号化アルゴリズムを用いるなど、暗号化され安全に保護された接続を用いることにより安全に保護されうる接続のことである。
【００３２】
本発明の意味において、「眼科用レンズのパラメータ」は、光学的パラメータ、および/または製作パラメータ、および/または物理的パラメータ、および/または眼科用レンズの設計および/または他のよく知られたパラメータを意味しており、特に、「製作パラメータ」は、眼科用レンズの製作工程に含まれる様々な製作装置の設定パラメータを含むことができる。
【００３３】
本発明の非限定的な実施形態を、添付の図面を参照して次に述べるものとする。
【図面の簡単な説明】
【００３４】
【図１ａ】本発明の実施形態による注文要求を処理する方法に含まれるステップの流れ図である。
【図１ｂ】本発明の実施形態による注文要求を処理する方法に含まれるステップの流れ図である。
【図２ａ】本発明の実施形態による眼科用レンズの注文要求を処理するための処理システムを示す概略図である。
【図２ｂ】本発明の実施形態による処理装置を示す概略図である。
【図３ａ】本発明の実施形態による処理手段の更新の様々な状態の概略図である。
【図３ｂ】本発明の実施形態による処理手段の更新の様々な状態の概略図である。
【図３ｃ】本発明の実施形態による処理手段の更新の様々な状態の概略図である。
【図４ａ】複数の処理装置を備える本発明による処理システムを示す概略図である。
【図４ｂ】複数の処理装置を備える本発明による処理システムを示す概略図である。
【図４ｃ】複数の処理装置を備える本発明による処理システムを示す概略図である。
【図４ｄ】複数の処理装置を備える本発明による処理システムを示す概略図である。
【図５ａ】本発明による処理システムのフェイルオーバ管理プロセスを示す概略図である。
【図５ｂ】本発明による処理システムのフェイルオーバ管理プロセスを示す概略図である。
【図５ｃ】本発明による処理システムのフェイルオーバ管理プロセスを示す概略図である。
【発明を実施するための形態】
【００３５】
図1aで示すように、本発明は、眼科用レンズの注文要求を処理する方法であって、
-  少なくとも装着者の光学的な処方箋に関係する情報を含む注文要求が、管理エンティティLMSにより受け取られる注文要求受取りステップS1と、
-  注文要求が、管理エンティティLMSから処理装置RXに転送される注文要求転送ステップS2と、
-  注文要求に含まれる情報により眼科用レンズのパラメータを取得するために、注文要求が、所定の処理規則に基づいて処理装置RXの処理手段PROCにより処理される注文要求処理ステップS3とを含む方法に関する。
【００３６】
本発明によれば、処理装置RXは、所定の処理規則へのアクセス、例えば、未許可のアクセスを阻止するように構成される。
【００３７】
本発明の実施形態によれば、管理エンティティLMSは、安全に保護された接続を介して、例えば、ローカルエリアネットワークLANの安全に保護された接続を介して処理装置RXにリンクされる。
【００３８】
本発明の実施形態によれば、注文要求は、装着者からの眼鏡フレームの選択、装着者もしくは眼鏡技師による眼科用レンズの前面の曲率の選択、または装着者もしくは眼鏡技師により選択された任意の個別化パラメータに関する情報を含むことができる。
【００３９】
本発明の実施形態によれば、眼科用レンズのパラメータは、光学的パラメータ、および/または製作パラメータ、および/または仕上げパラメータを含むことができる。
【００４０】
仕上げパラメータは、例えば、眼科用レンズの縁付けパラメータ、および/または、穴明けパラメータ、および/またはセンタリングパラメータとすることができる。
【００４１】
光学的パラメータは、例えば、光学指数、眼科用レンズの厚さ、眼科用レンズのベースカーブ(base curve)、重さ、眼科用レンズの材料、およびより一般的には、眼科用レンズを規定するのに適切であり、よく知られた他の任意のパラメータとすることができる。
【００４２】
図1bで示すように、本発明の実施形態によれば、眼科用レンズの注文要求を処理する方法は、
-  少なくとも装着者の光学的な処方箋に関係する情報を含む注文要求が、管理エンティティLMSにより受け取られる注文要求受取りステップS1と、
-  注文要求が、管理エンティティLMSから処理装置RXへと転送される注文要求転送ステップS2と、
-  注文要求中に含まれる情報により眼科用レンズのパラメータを取得するために、注文要求が、所定の処理規則に基づいて処理装置RXの処理手段PROCにより処理される注文要求処理ステップS3と、
-  眼科用レンズの製作パラメータが、処理装置RXから少なくとも1つのレンズ製作装置MANに、例えば、管理エンティティLMSを介して転送されるパラメータ転送ステップS4と、
-  眼科用レンズが、製作パラメータに従ってレンズ製作装置MANにより製作される製作ステップS5と
を含むことができる。
【００４３】
注文要求受取りステップS1、注文要求転送ステップS2、および注文要求処理ステップS3は、本発明の前に述べた実施形態による方法のすべての特徴を含むことができる。
【００４４】
パラメータ転送ステップS4中に、製作パラメータは、処理装置RXからレンズ製作装置MANへと直接的または間接的に、例えば、管理エンティティLMSを介して転送することができる。
【００４５】
有利なことに、製作パラメータが直接転送される本発明の実施形態によれば、製作パラメータには、取得された製作パラメータをレンズ製作装置MANが使用することを認められた回数を制限する許可情報を含めることができる。
【００４６】
さらに有利なことに、製作パラメータが直接転送される場合、製作パラメータには、管理エンティティLMSによりアクセスすることができず、それにより、製作パラメータの使用をよりよく制御することが可能になる。
【００４７】
例えば、このような解決策は、製作所が、眼科用レンズを許可された数を超えて製作するリスクを低減する。
【００４８】
製作ステップS5は、生成装置(generator)および/またはポリッシャなどのよく知られた製作装置または製作ツールを用いて実施することができる。
【００４９】
本発明の実施形態によれば、方法は、処理システムおよび製作装置を備えるレンズ製作システムにより実施することができる。処理システムは、図2aで示された、本発明による処理装置を備える。
【００５０】
図2aで示すレンズ製作システムは、
-  注文要求を受け取るように構成され、かつレンズ製作装置MANにリンクされた管理エンティティLMSと、
-  処理装置RXであって、
-  管理エンティティLMSから注文要求を受け取るように構成された受取り手段RECであり、注文要求が、少なくとも装着者の光学的な処方箋に関係する情報を含む、受取り手段RECと、
-  注文要求中に含まれる情報により眼科用レンズのパラメータを取得するために、所定の処理規則に基づいて、注文要求を処理するように構成された処理手段PROCと、
-  眼科用レンズの取得されたパラメータを管理エンティティLMSに送るように構成された送出手段と
を備える処理装置RXとを備えており、
処理装置RXは、所定の処理規則への未許可のアクセスを阻止するように構成される。
【００５１】
管理エンティティLMSは、例えば、LAN接続、例えば、安全に保護されたネットワーク接続など、ネットワーク接続NET2を介して処理装置RXにリンクされる。
【００５２】
本発明の実施形態によれば、処理システムの管理エンティティLMSは、ネットワーク接続NET3、例えば、LAN接続を介して少なくとも1つのレンズ製作装置MANにリンクされ、かつネットワークNET1、例えば、インターネットを介して、遠隔のコンピュータエンティティPC1にリンクされる。
【００５３】
本発明の実施形態によれば、処理システムおよびレンズ製作装置は、レンズ供給者の製作所側にある。したがって、眼科用レンズの製作パラメータを取得した場合、注文要求の処理中にレンズ製作装置MANの特殊性を検討することができる。したがって、製作パラメータが、レンズ製作装置の特殊性に従って個別化されるので有利である。
【００５４】
遠隔のコンピュータエンティティPC1は、例えば、眼鏡技師側に存在することができ、注文要求を入力するために眼鏡技師が使用することができる。注文要求は、装着者の処方箋に関係する情報と、例えば、選択された眼鏡フレームの形状および/もしくはタイプ、ならびに/または眼科用レンズの前面の特定の曲率の選択などの任意の個別化された情報とを含むことができる。
【００５５】
管理エンティティLMSは、受け取った注文要求を待ち行列に入れ、順次に動作させる手段を含むサーバを備えることができる。
【００５６】
本発明による処理装置RXの例は、図2bで示される。
【００５７】
本発明による処理装置は、
-  管理エンティティLMSから注文要求を受け取るように構成された受取り手段RECであって、管理エンティティLMSが、少なくとも1つのレンズ製作装置MANにリンクされるように構成され、注文要求が、少なくとも装着者の光学的な処方箋に関係する情報を含む、受取り手段RECと、
-  注文要求中に含まれる情報により眼科用レンズのパラメータを取得するために、所定の処理規則に基づいて注文要求を処理するように構成された処理手段PROCと、
-  管理エンティティLMSに眼科用レンズの取得されたパラメータを送るように構成された送出手段SENと
を備えることができる。
【００５８】
処理装置RXは、所定の処理規則への未許可のアクセスを阻止するように構成されており、例えば、処理手段PROCは、安全に保護されたハウジングSEC中に配置される。
【００５９】
所定の処理規則は、眼科用レンズのために最も適切な設計をデータベース中で選択するための規則を含むことができる。さらに、または代替的に、所定の処理規則は、眼科用レンズの最も適切な設計を取得するために、眼科用レンズのパラメータを計算するための規則を含むことができるが、例えば、このようなパラメータを計算するための規則は、適合された公式(adapted formula)に基づくことができる。
【００６０】
所定の処理規則は、レンズ供給者のノウハウの一部を表しており、それ自体、非常に機密性の高いデータになる。したがって、所定の処理規則へのどんなアクセスも阻止するように処理装置を構成することが有利である。
【００６１】
処理手段PROCは、所定の処理規則の少なくとも一部を実施するための命令を記憶するメモリを備えることができる。処理手段は、安全に保護されたハウジングSEC中に配置することができる。有利なことに、処理手段を、例えば、処理手段のメモリを、このような安全に保護されたハウジングSEC中に配置することにより、処理手段PROCへのどんな未許可のアクセスも阻止することが可能になる。
【００６２】
例えば、安全に保護されたハウジングSECなどの処理装置RXは、処理手段に、もしくは処理手段中に備えられたメモリに対して未許可でアクセスしようとするどんな試みも検出するように適合された検出手段を備えることができる。例えば、安全に保護されたハウジングは、安全に保護されたハウジングへの侵入および/または開放を未許可で行う試みを検出するための、侵入および/または開放検出手段を備えることができる。
【００６３】
本発明の実施形態によれば、検出手段DETは、処理手段にアクセスしようとする試みを検出すると、処理手段に備えられたメモリに記憶された所定の処理規則の少なくとも一部を実施するための命令を消去するように構成することができる。
【００６４】
代替的に、かつ有利なことに、処理手段は、処理手段にアクセスしようとする試みを検出すると、破壊されるように構成することもできる。本発明の意味では、「破壊する」とは、例えば、機械的にかつ/または電気的に、処理手段および/またはメモリを物理的に破壊することを意味するものとする。したがって、この最後の実施形態によれば、処理手段および/またはメモリ中に含まれるデータおよび/または所定の処理規則を復元しようとするどんな試みも成功することはない。
【００６５】
処理装置RXはさらに、処理手段に、例えば、所定の処理規則に対するアクセスを許可するように適合されたプラグ着脱可能な許可手段を受け入れるように構成されたインターフェースINTを備えることができる。検出手段は、処理手段へのアクセス権を管理するために、アクセス権管理手段を備えることができる。
【００６６】
実際に、処理手段を、特に所定の処理規則を更新し、かつ/または維持する必要があり、したがって、処理手段に対する、特に所定の処理規則に対するアクセスが必要となりうる。
【００６７】
アクセス権管理手段は、例えば、アクセス権管理手段が接続される遠隔サーバによりアクセス権が規定される遠隔の権利管理システムを備えることができる。このようなアクセス権は、例えば、SIMカードおよび/またはRFIDカード、および/またはより一般的には、当業者により知られている任意の可搬型の記憶および処理手段など、ドングルと関連付けることができる。
【００６８】
ドングルは、処理手段への電子的なアクセスキーとすることができる。例えば、ユーザは、処理装置RXの背部にドングルを接続して、例えば、所定の処理規則を更新するなど、処理手段に介入するために、キーボード/マウスポートのロックを解除し、かつ/または検出手段を無効にする。
【００６９】
まず、ドングルは、例えば、MACアドレスなど、ターゲット処理手段の特有の識別子を帰属させるように特定の装置に対してプログラムすることができる。管理ソフトウェアプラットフォームはまた、ドングルでアクセスされたすべての処理手段の履歴を取得することもできる。
【００７０】
本発明による処理装置の処理手段にアクセスする必要のある、例えば、メンテナンス技術者などのユーザは、例えば、ドングルを処理装置に配置されたインターフェースINT中へと差し込むことにより、ドングルを使用することができる。ドングルとアクセス権管理手段との間の通信交換プロトコルは、公開/秘密鍵暗号化に基づくことができ、以下のステップを含むことができる。すなわち、
ドングルが、ランダムな公開暗号化鍵をアクセス権管理手段に送り、
ドングルおよびアクセス権管理手段が共に同じ秘密鍵を有し、
秘密鍵および公開鍵に基づいて、アクセス権管理手段およびドングルにより、共通の鍵暗号化が生成され、
アクセス権管理手段とドングルの間の通信は、共通の鍵暗号化に関する共通の知識に従って暗号化され、
アクセス権管理手段は、例えば、処理装置のMACアドレスなどの識別子をドングルに送り、
接続要求の履歴は、ドングル中で更新することができ、
ドングルは、例えば、処理装置のMACアドレスなど、受け取ったアクセス権管理手段の識別子を、ドングルとのアクセスが許可された各処理手段の、例えば、MACアドレスなどの識別子のリストと比較し、
例えば、処理装置のMACアドレスなど、アクセス権管理手段の識別子が、ドングルによって認識された場合、ユーザは、例えば、処理装置のキーボード/マウスポートのロックを解除することにより、かつ/または検出手段を不能にすることにより、処理手段にアクセスすることができる。
【００７１】
例えば、処理手段の保守のために許可された者には、遠隔サーバを介して、処理手段へのいくつかのアクセス権を与えることができ、このような者が、例えばドングルを用いて自分自身を識別した場合、検出手段は、このような人物のアクセス試行を許可されたアクセス試行であると見なし、したがって、処理手段を不能にすることも、破壊することもない。
【００７２】
本発明による処理装置RXはまた、安全に保護された接続NET4を介して、遠隔のエンティティSERにリンクされるように、かつ処理手段を、特に所定の処理規則を更新するために、更新要求を遠隔のエンティティSERに送るように構成された更新手段UPDを備えることができる。
【００７３】
安全に保護されたネットワーク接続NET4は、例えば、RSAアルゴリズムを用いるなど、暗号化され安全に保護された接続を用いるインターネット接続とすることができる。
【００７４】
更新要求は、処理手段PROCの現在のバージョン、および/または所定の処理規則の現在のバージョンを識別する識別子を含むことができる。
【００７５】
図3bで示すように更新要求を受け取ると、遠隔サーバSERは、処理手段および/または所定の処理規則の現在のバージョンを、最も新しいバージョンと比較する。遠隔サーバSERが、処理手段PROCおよび/または所定の処理規則の、例えば、処理手段のソフトウェアプログラムおよび/またはデータのより新しいバージョンが存在することを見出した場合、処理手段および/または所定の処理規則の最も新しいバージョンが、遠隔サーバSERから処理手段に送られる。
【００７６】
図3cで示すように、処理手段は、次いで、最も新しいバージョンをインストールし、かつそのインストールが正しく行われたかを確認することができるが、あるいは必要に応じて、前のバージョンへとロールバックすることもできる。
【００７７】
本発明の実施形態によれば、処理システムは、複数の処理装置を備えることができる。例えば、本発明による処理システムは、第1および第2の処理装置を備えることができ、各処理装置は、注文要求中に含まれる情報に従って眼科用レンズのパラメータを取得するために、所定の処理規則に基づいて注文要求を処理するように構成された処理手段を含む。
【００７８】
各処理装置の処理手段を、別個の安全に保護されたハウジング中に配置することができる。
【００７９】
各処理装置は、所定の処理規則の少なくとも一部を実施するための命令を記憶するメモリと、前記処理装置のメモリに未許可でアクセスしようとするどんな試みも検出するように、かつ/または前記メモリにアクセスしようとする試みを検出すると、メモリを破壊するように構成された別個の検出手段とを備えることができる。
【００８０】
本発明の実施形態によれば、第1および第2の処理装置中に備えられた処理手段は、同じ所定の処理規則、および/または眼科用レンズの設計データ、および/または注文要求中に含まれた情報に従って、眼科用レンズの製作パラメータを計算するように適合された計算手段を有する。
【００８１】
複数の独立した処理装置を使用することは、作業負荷およびフェイルオーバを管理することを可能にするので有利である。同じ所定の処理規則を有する複数の処理装置を、グループ内に構成することができる。
【００８２】
グループ内の処理装置の1つは、マスタ処理装置MASと呼ばれ、また他の処理装置SLAは、スレーブと呼ばれる。
【００８３】
グループ内では、処理装置の処理手段が、誤りを最小化するために、所定の処理規則の同じバージョンを有するので有利である。
【００８４】
処理装置のグループと関連して、本発明による処理システムは、本発明による処理装置と同じ機能を有するプロトタイプの処理装置PROTを備えることができるが、その処理手段は、眼科用レンズの特有のパラメータを取得するように、例えば、処理手段の試験バージョン、特に所定の処理規則の試験バージョンを取得するように構成することができる。
【００８５】
本発明の実施形態によれば、処理システムは、処理装置の複数のグループを備えることができる。
【００８６】
図4aで示すように、注文要求を、管理エンティティLMSからマスタ処理装置MASへと送ることができる。
【００８７】
図4bで示すように、マスタ処理装置MASが注文要求を受け取ると、マスタ処理装置MASは、どの処理装置がその注文要求を処理すべきであるかを選択し、選択された処理装置に注文要求を送る。
【００８８】
図4cで示すように、選択された処理装置が注文要求を処理し、例えば、製作パラメータなど、眼科用レンズのパラメータを取得した場合、眼科用レンズの製作パラメータは、マスタ処理装置MASに送られる。
【００８９】
図4dで示すように、マスタ処理装置MASは、製作パラメータを管理エンティティLMSに送る。
【００９０】
管理エンティティLMSは、次いで、注文要求に対応する眼科用レンズを製作するために、製作パラメータをレンズ製作装置に送ることができる。
【００９１】
複数の処理装置を使用することにより、処理装置のフェイルオーバを管理できるようになる。このような管理の例が、図5aから5cに示されている。
【００９２】
図5aでは、正常な処理モードが示されており、その場合、各スレーブ処理装置SLA1、SLA2は、マスタ処理装置のデータで定期的に更新され、かつマスタ処理装置MAS1の可用性、すなわち、マスタ処理装置が、管理エンティティLMSと正常に通信できることが検査される。
【００９３】
図5bは、マスタ処理装置MAS1がもはや応答しない状態を表している。スレーブ処理装置SLA1、SLA2は、マスタ処理装置MAS1の可用性の検査を継続し、結果として、マスタ処理装置と管理エンティティLMSの間で通信が不能であることを示すエラーを受け取る。
【００９４】
図5cは、一方のスレーブ処理装置SLA1が、新しいマスタ処理装置MAS2として自動的に再定義された状態を表す。他方のスレーブ処理装置SLA2は、エラーを生ずることなく新しいマスタ処理装置MAS2の可用性を検査することができる。管理エンティティLMSは、新しいマスタ処理装置MAS2と正常に通信することができる。
【００９５】
マスタ処理装置MASのフェイルオーバを管理することができ、また処理方法を停止させることを必要としないので有利である。
【００９６】
本発明は、上記で、本発明の一般的な発明性のある概念を限定することのない諸実施形態を用いて述べられている。
【符号の説明】
【００９７】
DET  検出手段
INT  インターフェース
LMS  管理エンティティ
NET1〜4  ネットワーク接続
MAN  レンズ製作装置
MAS1、2  マスタ処理装置
PC1  コンピュータエンティティ1
PRO  処理装置
PROC  処理手段
PROT  プロトタイプの処理装置
REC  受取り手段
RX  処理装置
SLA1、2  スレーブ処理装置
SEC  安全に保護されたハウジング
SEN  送出手段
SER  遠隔のエンティティ、遠隔サーバ
UPD  更新手段
【図１ａ】
2014149553.tif 000003
【図１ｂ】
2014149553.tif 000004
【図２ａ】
2014149553.tif 000005
【図２ｂ】
2014149553.tif 000006
【図３ａ】
2014149553.tif 000007
【図３ｂ】
2014149553.tif 000008
【図３ｃ】
2014149553.tif 000009
【図４ａ】
2014149553.tif 000010
【図４ｂ】
2014149553.tif 000011
【図４ｃ】
2014149553.tif 000012
【図４ｄ】
2014149553.tif 000013
【図５ａ】
2014149553.tif 000014
【図５ｂ】
2014149553.tif 000015
【図５ｃ】
2014149553.tif 000016